(57)【要約】【課題】図柄表示ユニットを収容する収容ケースの構造的強度を低下させることなく配線基板を支持し得ると共に、該収容ケースの内部容積を小さくし得る回転式図柄表示装置における配線基板の支持構造を提供する。【解決手段】ドラムケース３０における後面側の稜縁部に、該ドラムケース３０の上面３１ａ，３５ａに向けて傾斜する上傾斜面３２を形成し、該上傾斜面３２に配線基板３８の一部をケース外方へ突出させる挿通孔３２ａを形成する。また、前記挿通孔３２ａの一部を画成して、前記配線基板３８を一方の側から位置規制する規制突片を形成すると共に、配線基板３８を他方の側から位置規制する規制突部３１ｄを、前記挿通孔３２ａの近傍に突設する。更に、前記ドラムケース３０の内側に前記挿通孔３２ａから離間する位置に、前記配線基板３８を両側から位置規制する規制片３１ｅ，３１ｅを形成した。【選択図】　図４
2004024345.tif 000002
【特許請求の範囲】
【請求項１】
各種図柄を設けた図柄表示体と、前記図柄表示体を回転可能に支持して、その回転および停止を行なう回転駆動手段と、前記回転駆動手段が配設される配線基板とからなる図柄表示ユニットを、収容ケースに収容するようにした回転式図柄表示装置において、
前記収容ケースにおける後面側の稜縁部に形成され、該収容ケースの上面または底面に向けて傾斜する傾斜面と、
前記傾斜面に開設され、前記収容ケースに前記図柄表示ユニットを収容した際に、前記配線基板の一部をケース外方へ突出させる開口部と、
前記開口部の一部を画成し、該開口部に臨ませた前記配線基板を一方の側から位置規制する規制突片と、
前記収容ケースの内側で前記開口部に近接して突設され、該開口部に臨ませた前記配線基板を他方の側から位置規制する規制突部と、
前記収容ケースの内側に前記開口部から所要距離だけ離間して突設され、該収容ケースに収容した前記配線基板を両側から位置規制する一対の規制片とから構成した
ことを特徴とする回転式図柄表示装置における配線基板の支持構造。
【請求項２】
前記収容ケースに関して、前記傾斜面が形成される前記稜縁部に対向する側の稜縁部に第２の傾斜面が形成され、前記一対の規制片は、該収容ケースの内側でかつ前記第２の傾斜面に近接して突設される請求項１記載の回転式図柄表示装置における配線基板の支持構造。
【請求項３】
前記配線基板を前記収容ケースに収容した際に、該配線基板が前記開口部からケース外方へ突出する部位に接続部を設け、該接続部を前記図柄表示ユニットを制御する制御手段に接続するようにした請求項１または２記載の回転式図柄表示装置における配線基板の支持構造。
【請求項４】
前記各規制突部および規制片の突出端部を円弧状に形成した請求項１〜３の何れかに記載の回転式図柄表示装置における配線基板の支持構造。
【発明の詳細な説明】
【０００１】
【発明の属する技術分野】
この発明は、回転式図柄表示装置における配線基板の支持構造に関し、更に詳細には、図柄表示体の回転および停止を行なう回転駆動手段を配線基板に配設した図柄表示ユニットを収容ケースに収容セットする回転式図柄表示装置における配線基板の支持構造に関するものである。
【０００２】
【従来の技術】
遊技機の代表例であるパチンコ機には、遊技中に発生する始動および停止を含む図柄変動制御条件に基づいて図柄組合わせゲームを展開して、特別遊技状態に係る権利とされる組合わせ入賞条件を成立表示することのできるドラム式やベルト式と称される回転式図柄表示装置が配設されている。例えば、ドラム式図柄表示装置は、図８または図９に示すように、図柄表示体として各種図柄を表示した平プーリ形の図柄ドラム６７や、該図柄ドラム６７の回転および停止を行なう回転駆動手段６８等を配線基板６５上に配設して１基毎にユニット化した図柄表示ユニット６４が、ドラムケース（収容ケース）６１内に３基を組単位として並列セットされる（図９，図１０参照）。
【０００３】
前記図柄表示ユニット６４における配線基板６５は、図８に示すように、その下端縁の所要位置から下方に延出する延出部６５ａが形成されており、該延出部６５ａには、前記図柄表示ユニット６４の制御を行なう制御装置６６と接続されるコネクタ部６５ｂが設けられている。また、前記ドラムケース６１は、図９に示すように、前後に連結可能な後ケース６２および前ケース６３とから、前側に開口する略矩形箱状に形成され、該前後のケース６２，６３の上面には内側に開口して前後方向に延在する溝部６２ａ，６３ａが形成されると共に、底面には該溝部６２ａ，６３ａと対応的に前後方向に延在するスリット６２ｂ，６３ｂが形成されている。そして、前記後ケース６２のスリット６２ｂに、前記コネクタ部６５ｂが外部に露出する状態で前記配線基板６５の延出部６５ａを挿入させると共に、該後ケース６２の前記溝部６２ａに、該配線基板６５の上端縁を挿入して、配線基板６５を位置決めする。この状態で、前記配線基板６５を前記前ケース６３の溝部６３ａおよびスリット６３ｂに対応的に挿入することで、前記ドラムケース６１内に前記図柄表示ユニット６４が収容セットされるようになっている。
【０００４】
【発明が解決しようとする課題】
前述のようにドラムケース６１には、配線基板６５のコネクタ部６５ｂを外部に露出させるスリット６２ｂ，６３ｂを形成してあるので、該ドラムケース６１（後ケース６２および前ケース６３）の構造的強度の低下を招き、割れや歪み等が生ずる畏れがある。また、前記図柄表示ユニット６４の配線基板６５を、前記溝部６２ａ，６３ａおよびスリット６２ｂ，６３ｂに位置決めする必要があり、ドラム式図柄表示装置の組付け作業が煩雑となる問題も指摘される。更に、前記ドラムケース６１は比較的大型な箱状に形成されているため、パチンコ機に配設される各種部材の取付け・取外し作業を阻害する畏れがあり、該ドラムケース６１の内部容積をできる限り抑えることが望まれている。
【０００５】
【発明の目的】
本発明は、前述した従来の技術に内在している前記課題に鑑み、これを好適に解決するべく提案されたものであって、図柄表示ユニットを収容する収容ケースの構造的強度を低下させることなく配線基板を支持し得ると共に、該収容ケースの内部容積を小さくし得る回転式図柄表示装置における配線基板の支持構造を提供することを目的とする。
【０００６】
【課題を解決するための手段】
前記課題を克服し、所期の目的を達成するため、本発明に係る遊技機における回転式図柄表示装置における配線基板の支持構造は、
各種図柄を設けた図柄表示体（３７）と、前記図柄表示体（３７）を回転可能に支持して、その回転および停止を行なう回転駆動手段（３９）と、前記回転駆動手段（３９）が配設される配線基板（３８）とからなる図柄表示ユニット（３６）を収容ケース（３０）に収容するようにした回転式図柄表示装置において、
前記収容ケース（３０）における後面側の稜縁部に形成され、該収容ケース（３０）の上面（３１ａ，３５ａ）または底面（３１ｃ，３５ｅ）に向けて傾斜する傾斜面（３２）と、
前記傾斜面（３２）に開設され、前記収容ケース（３０）に前記図柄表示ユニット（３６）を収容した際に、前記配線基板（３８）の一部をケース外方へ突出させ得る開口部（３２ａ）と、
前記開口部（３２ａ）の一部を画成し、該開口部（３２ａ）に臨ませた前記配線基板（３８）を一方の側から位置規制する規制突片（３２ｂ）と、
前記収容ケース（３０）の内側で前記開口部（３２ａ）に近接して突設され、該開口部（３２ａ）に臨ませた前記配線基板（３８）を他方の側から位置規制する規制突部（３１ｄ）と、
前記収容ケース（３０）の内側に前記開口部（３２ａ）から所要距離だけ離間して突設され、該収容ケース（３０）に収容した前記配線基板（３８）を両側から位置規制する一対の規制片（３１ｅ，３１ｅ）とから構成したことを特徴とする。
【０００７】
また、前記収容ケース（３０）に関して、前記傾斜面（３２）が形成される前記稜縁部に対向する側の稜縁部に第２の傾斜面（３３）を形成し、前記一対の規制片（３１ｅ，３１ｅ）を、該収容ケース（３０）の内側でかつ前記第２の傾斜面（３３）に近接して突設してもよい。
【０００８】
更に、前記配線基板（３８）を前記収容ケース（３０）に収容した際に、該配線基板（３８）が前記開口部（３２ａ）からケース外方へ突出する部位に接続部（３８ｃ）を設け、該接続部（３８ｃ）を前記図柄表示ユニット（３６）の制御手段（Ｓ）に接続することもできる。
【０００９】
更にまた、前記各規制突部（３１ｄ）および規制片（３１ｅ）の突出端部を円弧状に形成してもよい。
【００１０】
【作用】
本発明は、回転式図柄表示装置の収容ケースにおける後面側の稜縁部に形成した、該収容ケースの上面または底面に向けて傾斜する傾斜面に開口部を開設して、当該収容ケースに図柄表示ユニットを収容した際に、該図柄表示ユニットを構成する配線基板が該開口部からケース外方に突出する。そして、前記開口部からケース外方に突出した前記配線基板は、該開口部の一部を画成する規制突片により一方の側から位置規制されると共に、収容ケースの内側で、当該開口部に近接して突設された規制突部により他方の側から位置規制される。また、前記配線基板は、前記開口部から所要距離だけ離間して突設された一対の規制片により両側から位置規制されるようになっている。このように、前記収容ケースにスリットを設けることなく前記配線基板を位置決めすることができ、更に前記開口部から該配線基板に設けた接続部をケース外方に突出させることができるので、該収容ケースの構造的強度の低下を招くことはなく、割れや歪み等を抑制することができる。また、前記配線基板の後方部位を、前記収容ケース内において上下に離間する位置で位置規制しているので、該配線基板が左右方向にガタツクことなく支持できる。
【００１１】
また、前記各規制突部や規制片の突出端部を円弧状に形成することで、前記配線基板が所定の位置に案内され易くなるので、位置決め作業を容易に行なうことができる。更に、前記収容ケースに関して、前記傾斜面を形成した前記稜縁部と対向する稜縁部にも第２の傾斜面を形成することにより該収容ケースの内部容積を抑え得るので、前記回転式図柄表示装置に近接して遊技機に配設される各種部材の取付け・取外しに際し、各部材同士の干渉を抑えることができ、作業性を向上させ得る。
【００１２】
【発明の実施の形態】
次に、本発明に係る回転式図柄表示装置における配線基板の支持構造につき好適な実施例を挙げて、添付図面を参照しながら、以下詳細に説明する。なお、本実施例では、代表的な遊技機であるパチンコ機に、回転式図柄表示装置としてドラム式図柄表示装置を配設する場合で説明する。
【００１３】
（パチンコ機について）
先ず本実施例のドラム式図柄表示装置が取付けられるパチンコ機の概略について、図２を参照して説明する。本実施例のパチンコ機Ｐは、その基本的な構成として、外枠Ａの開口前面側に対して前枠Ｂが、連結支持手段および施錠手段を利用して着脱および開放可能に組付けられている。そして、前枠Ｂに横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置（図示せず）と、下段に位置する下球皿Ｆおよび打球発射装置Ｈと、後側に位置する機構セット盤（図示せず）等が夫々装備されている一方、前枠Ｂ後側に所要の遊技領域Ｉを構成した遊技盤Ｊが着脱交換可能にセットされる。
【００１４】
（遊技盤について）
前記遊技盤Ｊは、図２に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置された後述のドラム式図柄表示装置２０と、風車とも称されて遊技球用の流下方向を任意に変向する電飾案内車１２および普通案内車１３と、始動入賞具１１の直下方に設置された大型電動式の入賞装置Ｌと、遊技状態に応じて照射パターンが変更制御される電飾装置１４等を備えている。また遊技盤Ｊの後側には、セーフ球を機構セット盤側に通出案内させる図示しないセーフ球案内部材が装着されている。そして、このセーフ球案内部材には、該案内部材に開設した透視窓部１５の後側に合わせてドラム式図柄表示装置２０が装備セットされる。なお、符号１６はアウト口を示す。
【００１５】
前記始動入賞具１１内に配設された図示しないスイッチは、各セーフ球の検出毎にドラム式図柄表示装置２０を１回ずつ作動スタートさせるための始動入力手段として利用される。また前記入賞装置Ｌは、ドラム式図柄表示装置２０の大当り成立時に対する特別遊技状態として、開成作動条件が付与される大型の入賞装置であって、図２に示されるように、特別入賞具１７に対設された扉状の開閉板１８が、後側の電磁ソレノイドに係る設定駆動条件に基づいて、通常の閉鎖状態から開放状態に変化されるようになっている。そして、特別入賞具１７の後側内部にセーフ球用のカウントスイッチと、開放作動継続用の特別スイッチ（Ｖスイッチ）が組込まれている（何れも図示せず）。なお、入賞装置Ｌの左右両側に普通入賞具１９，１９が設けられている。
【００１６】
（ドラム式図柄表示装置について）
実施例に係るドラム式図柄表示装置２０は、図３に示すように、前方に向かって開口するドラムケース（収容ケース）３０と、該ドラムケース３０の前側に配設されて各図柄表示ユニット３６を透視保護し得る透視表示体２２とから箱状に形成され、内部に３基の図柄表示ユニット３６が並列収容セットされる。なお、前記ドラム式図柄表示装置２０は、図１または図４に示すように、該装置２０の上方に配設した制御装置（制御手段）Ｓから発生する制御出力に基づいて、前記各図柄表示ユニット３６を駆動制御している。また、前記ドラムケース３０には、該ドラムケース３０の後側を囲繞してドラムケース３０を補強すると共に、図柄ドラム（図柄表示体）３７の回転により生ずるノイズが外部に漏洩することによる前記制御装置Ｓ等に対しての影響を抑制する金属枠部材４１が着脱可能に取付けられる。なお、以下の説明において前後および左右とは、図２に示すようにパチンコ機Ｐを前記遊技盤Ｊ側から見た場合において指称するものとする。
【００１７】
（透視表示体について）
前記透視表示体２２は、図３または図４に示すように、前記ドラム式図柄表示装置２０自体の前位置決め部材としても機能するものであって、透明合成樹脂材により後側に開放する箱蓋形に形成されると共に、その中央部には、前向きの凸円弧形に膨出するレンズ兼用の透視部２３が形成されている。また、前記透視表示体２２の後側で前記透視部２３の下方位置には、上下方向に延在する溝部２２ｃが左右方向に離間して３箇所に形成されて、前記図柄表示ユニット３６を構成する配線基板３８（後述）に形成される位置決め突部３８ｂと係脱可能に係合するようになっている。前記透視表示体２２における上端面部２２ａには第１係合部２４が左右方向に離間して形成され、前記金属枠部材４１に形成される第１規制部４６（後述）と係脱可能に係合するようになっている。ここで、前記第１係合部２４は、前記上端面部２２ａから上方に向けて突出する一対の係合爪部で構成される。なお、前記各係合爪部は、後側に向かうにつれて前記上端面部２２ａ側に傾斜するテーパ状に形成してある。
【００１８】
更に、透視表示体２２の下端面部側の所要位置には、３つのボス２２ｄが形成され、各ボス２２ｄには後側に開口するネジ孔（図示せず）が穿設されている。また、前記透視表示体２２における左右の側面部２２ｂの上方位置には、第２係合部を構成する第１の突状部２６ａが突設されて、金属枠部材４１に形成される後述する第２規制部４７と係脱可能に係合するようになっている。
【００１９】
（図柄表示ユニットについて）
前記各図柄表示ユニット３６は、図４に示すように、各種図柄を表示した前記図柄ドラム３７と、この図柄ドラム３７を回転可能に支持して、その回転および停止を行なうステッピングモータ（回転駆動手段）３９と、該ステッピングモータ３９が配設されて前記ドラムケース３０内に並列状態で支持される配線基板３８等とから構成されて、ユニット化されている。また、各配線基板３８の前部下方位置には前側に突出する位置決め突部３８ｂが形成されると共に、前部上方位置には位置決め凹部３８ａが夫々形成されており、前記位置決め突部３８ｂを前記透視表示体２２の溝部２２ｃに係合し、位置決め凹部３８ａを後述する前ケース３５に形成した突片部３５ｄに係合させることで、図柄表示ユニット３６の前側が位置決め固定されるようになっている。
【００２０】
また、前記配線基板３８の後部上方位置には、接続部としての第１のコネクタ部３８ｃが設けられており、前記ステッピングモータ３９等の駆動制御を行なう前記制御装置Ｓとハーネス（接続手段）５２により接続される。なお、前記配線基板３８の第１のコネクタ部３８ｃは、後述する後ケース３１の挿通孔（開口部）３２ａから前記ドラムケース３０の外方に突出し得る位置に設けてある。また、前記配線基板３８は、前記ドラムケース３０内に収容した際に、該ドラムケースの内側（後述の上面３１ａ，３５ａ、後面３１ｂおよび上下の傾斜面３２，３３の内側）に倣うよう形成され、上下方向に移動しないようになっている。
【００２１】
（ドラムケースについて）
前記ドラムケース３０は、図１または図３に示す如く、前後に連結可能な後ケース３１および前ケース３５とから箱状に形成されて、前側を前記透視表示体２２で覆うことにより、図柄表示ユニット３６を透視保護するよう構成される。前記後ケース３１は前方に開口する箱状に形成されており、図１，図４または図７に示すように、該ドラムケース３０の後面３１ｂにおける上側の稜縁部には、上面３１ａに向けて傾斜する上傾斜面（傾斜面）３２が形成されると共に、当該ドラムケース３０の後面３１ｂにおける下側の稜縁部には、底面３１ｃに向けて傾斜する下傾斜面（第２の傾斜面）３３が形成されている。なお、前記上傾斜面３２の左右方向における略中央部には、上方に向けて突出する固定部３４が形成されている。
【００２２】
また、前記後ケース３１における上傾斜面３２には、前記透視表示体２２に形成した溝部２２ｃと前後に整列する位置に前記挿通孔３２ａを３箇所形成してある（図５参照）。そして、図４または図７に示すように、前記後ケース３１（ドラムケース３０）に前記図柄表示ユニット３６を収容した際に、前記各配線基板３８に設けた第１のコネクタ部３８ｃが、前記挿通孔３２ａからケース外方に突出するようになっている。なお、図１または図６（ａ）に示すように、前記挿通孔３２ａの右側上部の隅には、挿通孔３２ａの一部を画成する規制突片３２ｂが形成され、当該挿通孔３２ａに臨ませた前記配線基板３８の右側面にこの規制突片３２ｂが当接して、配線基板３８の後側上方部位を右側（一方の側）から位置規制するようになっている。更に、図６（ａ）に示すように、前記後ケース３１における後面３１ｂの内側には、前記上傾斜面３２（挿通孔３２ａ）に近接した位置で、かつ前記挿通孔３２ａと上下に整列する位置に、前記配線基板３８の左側面に当接する規制突部３１ｄが前側に向かって突出するよう夫々形成されており、前記配線基板３８を左側（他方の側）から位置規制するようになっている。
【００２３】
更にまた、前記後ケース３１における後面３１ｂの内側には、図３，図４または図６（ｂ）に示すように、前記下傾斜面３３の近接位置（挿通孔３２ａから所要距離だけ離間する位置）で、かつ前記挿通孔３２ａと上下に整列する位置に、前記配線基板３８の厚み寸法と略同一の間隔で左右に離間する一対の規制片３１ｅ，３１ｅが前側に向かって夫々突設されている。そして、前記一対の規制片３１ｅ，３１ｅの間に前記配線基板３８を挿通することにより、該配線基板３８の後側下部位置を左右両側から位置規制するようになっている。なお、前記規制突部３１ｄおよび規制片３１ｅの突出端部は、円弧状に形成してある。
【００２４】
一方、前記前ケース３５は、上面３５ａと左右の側面３５ｂ，３５ｂと底面３５ｅとから前後方向に開口する角筒状に形成されており、後側の開口部は前記後ケース３１の開口部に整合し、前側の開口部は前記透視表示体２２の後面に当接させた際に、前記透視部２３の外側を囲繞するようになっている。なお、前ケース３５における上面３５ａの内側には、前記各配線基板３８の位置決め凹部３８ａに夫々係合する突片部３５ｄが３箇所に形成してある。なお、前記透視表示体２２の溝部２２ｃ、後ケース３１の規制突部３１ｄ、規制片３１ｅおよび前ケース３５の突片部３５ｄは略同一面上に位置するよう構成されている（図５参照）。また前記前ケース３５における左右の側面３５ｂ，３５ｂには、前記透視表示体２２に形成した前記第１の突状部２６ａと整列する位置に、第２係合部を構成する第２の突状部２６ｂが外側に向かって突設されており、前記金属枠部材４１の第２規制部４７と係脱可能に係合するようになっている。また、前記第２の突状部２６ｂの下方位置には、前後方向に延在すると共に前記第２規制部４７の内側に当接する突起部３５ｃが形成してある。
【００２５】
（金属枠部材について）
前記金属枠部材４１は、図１または図３に示す如く、前および後のケース３１，３５における両上面３１ａ，３５ａおよび透視表示体２２における上端面部２２ａに対向する上板部４１ａと、前記後ケース３１の後面３１ｂに対向する後板部４１ｂおよび、該後ケース３１の底面３１ｃに対応して幅方向に離間して形成された３枚の底板部４１ｃとを有する板枠状に形成される。なお、後板部４１ｂの上下の稜縁部には、前記後ケース３１の上下の傾斜面３２，３３と対応する傾斜板部４２，４３が形成されている。
【００２６】
図３に示すように、前記金属枠部材４１の上板部４１ａは、略矩形状に形成されると共に、その前側端縁には左右に離間する位置にＴ字形の第１規制部４６が前側に突出して夫々形成されて、前記透視表示体２２に形成した前記各第１係合部２４と係脱可能に係合するようになっている。そしてこの係合状態においては、前記後板部４１ｂがドラムケース３０の後面から離間する方向（図７に示す矢線Ｘ方向）への前記金属枠部材４１の移動を規制している。また、前記上板部４１ａにおける左右の両側端縁には、その前端部近傍にＬ字形の第２規制部４７が夫々形成されて、前記透視表示体２２および前ケース３５の前記第１および第２の突状部２６ａ，２６ｂと係脱可能に係合するようになっている。そしてこの係合状態においては、前記上板部４１ａが前記透視表示体２２の上端面部２２ａおよび前記ドラムケース３０の上面３１ａ，３５ａから離間する方向（図７に示す矢線Ｙ方向）への金属枠部材４１の移動を規制している。
【００２７】
更に、図３または図７に示すように、前記金属枠部材４１の上板部４１ａには、左右の両側端縁に上方に向けて略直角に折曲された支持片４８と、前側端縁の左右方向における略中央位置に所要幅で上方に向けて略直角に折曲した把持部４９とが形成されている。すなわち、前記上板部４１ａと支持片４８と把持部４９とにより、前記制御装置Ｓを保持する保持部４０が構成され、該保持部４０は、図４または図７に示すように、前記ドラムケース３０の挿通孔３２ａを開口した上傾斜面３２に近接する面側（上面側）に位置する。なお、前記把持部４９と上板部４１ａとの連接部位には、所要幅の開口部４９ａが形成されると共に、該把持部４９は、上方へ引っ張ることで前記上板部４１ａにおける前側端縁の略中央位置を上方に撓ませて、前記第１係合部２４と第１規制部４６との係合状態を解除させることが可能である。
【００２８】
また、図１に示すように、前記後板部４１ｂにおいて前記後ケース３１の上傾斜面３２と対応する上傾斜板部４２には、該傾斜面３２の前記各挿通孔３２ａと整列する位置に通出孔４２ａが夫々形成されている。すなわち、前記ドラムケース３０に収容した前記図柄表示ユニット３６における配線基板３８の第１のコネクタ部３８ｃは、前記挿通孔３２ａおよび通出孔４２ａを介して、該ケース外方に突出されるようになっている。なお、前記金属枠部材４１は、各底板部４１ｃの前端部に形成した取着片４５を介して前記透視表示体２２のボス２２ｄにネジで螺着することで、該金属枠部材４１の下部が固定される。
【００２９】
（制御装置について）
前記金属枠部材４１の上板部４１ａに形成した前記保持部４０に保持される前記制御装置Ｓは、図１，図４または図７に示すように、前記図柄表示ユニット３６に関する各種電子部品を実装した制御基板５０を収容する箱状の基板ケース５１（図１参照）と、該基板ケース５１を載置する略矩形の取付ベース５４とから構成されて、両部材５１，５４は従来公知の固定手段により着脱可能に組付けられている。なお、前記取付ベース５４における下面の後部には、前記後ケース３１に形成した前記固定部３４にネジ止め固定する取付片５５が垂下している。
【００３０】
前記制御装置Ｓの取付ベース５４は、図７に示すように、その前端面の左右方向における略中央位置の下端縁近傍には、突出部５４ａが形成されており、前記金属枠部材４１の把持部４９に形成した開口部４９ａに嵌合するようになっている。更に、前記取付ベース５４における左右両側端面の前後方向の略中央位置に前後一対の爪部５４ｂ，５４ｂが夫々形成されており、前記上板部４１ａの支持片４８と係脱可能に係合するよう構成されている。すなわち、前記制御装置Ｓは、前記取付ベース５４の突出部５４ａと前記把持部４９の開口部４９ａとを嵌合すると共に、該取付ベース５４の前記爪部５４ｂ，５４ｂと前記上板部４１ａの支持片４８とを係合させることで、前記金属枠部材４１に形成した保持部４０に着脱可能に位置決め保持されて、前記ドラムケース３０の上面３１ａ，３５ａに位置している。なお、前記取付ベース５４に形成した前記取付け片５５が、前記後ケース３１における前記固定部３４にネジ止め固定されて、該取付ベース５４の後部を支持している。
【００３１】
また、図１に示すように、前記基板ケース５１の後部および側部に段部５１ａが形成してあり、該基板ケース５１に収容した前記制御基板５０の３箇所に設けた第２のコネクタ部（接続口）５３が、該段部５１ａに設けた開口部５１ｂから外部に露出している。そして、図４に示すように、前記各第２のコネクタ部５３は、前記ドラムケース３０の挿通孔３２ａおよび金属枠部材４１の通出孔４２ａから突出した対応する前記配線基板３８における前記第１のコネクタ部３８ｃとハーネス５２により夫々接続される。
【００３２】
【実施例の作用】
次に、本実施例に係る回転式図柄表示装置における配線基板の支持構造の作用について説明する。前記ドラムケース３０を構成する前記後ケース３１の上面３１ａ、後面３１ｂ、上下の傾斜面３２，３３および底面３１ｃに、前記金属枠部材４１の上板部４１ａ、後板部４１ｂ、上下の傾斜板部４２，４３および底板部４１ｃを夫々対向的に当接させる。このとき、図１または図４に示すように、前記後ケース３１の上傾斜面３２に形成した各挿通孔３２ａと金属枠部材４１の上傾斜板部４２に形成した各通出孔４２ａが夫々整列して、該後ケース３１内に収容セットした前記図柄表示ユニット３６の前記配線基板３８における第１のコネクタ部３８ｃを設けた部位が、挿通孔３２ａおよび通出孔４２ａの夫々からケース外方に突出する。このように、前記配線基板３８における第１のコネクタ部３８ｃを、ドラムケース３０の挿通孔３２ａからケース外方に突出させるようにすることで、当該ドラムケース３０の構造的な強度を維持することができる。また、前記ドラムケース３０に下傾斜面３３を形成して該ドラムケース３０の内部容積を抑えるよう構成してあるので、大型の図柄ドラム３７を使用する場合でもパチンコ機に配設した各種部材の取付け・取外し作業を阻害するのを抑制し得る。
【００３３】
また、図６に示すように、前記配線基板３８の右側面は、前記挿通孔３２ａの一部を画成する規制突片３２ｂに当接して位置規制され、該配線基板３８の左側面は、前記後ケース内側に突設した規制突部３１ｄに当接して位置規制されて、図柄表示ユニット３６の後側上方部位が位置決めされる。なお、前記規制部３１ｄの突出端部は円弧状に形成されているから、前記配線基板３８は規制突片３２ｂとの間に容易に案内される。更に、前記配線基板３８の後側下方部位は、前記後ケース３１の内側における前記下傾斜面３３と近接する位置に突設した一対の規制片３１ｅ，３１ｅの間に挿通されて、該配線基板３８を両側から位置規制して、図柄表示ユニット３６の後側下方部位が位置決めされる。このように、前記配線基板３８の後方部位は、上下に離間する位置で位置規制されているので、該配線基板３８がガタツクことなく支持することができる。なお、前記各規制片３１ｅの突出端部を円弧状に形成してあるので、前記配線基板３８を規制片３１ｅ，３１ｅの間に容易に挿通することが可能である。
【００３４】
そして、前記後ケース３１の前側の開口部に前ケース３５の後側の開口部を整合することでドラムケース３０が組付けられると共に、前ケース３５の突片部３５ｄと前記配線基板３８の位置決め凹部３８ａとが係合して、前記図柄表示ユニット３６の前側上方部位が位置決めされる。また、前ケース３５の前側に透視表示体２２を組付けると、該透視表示体２２の前記各溝部２２ｃと前記配線基板３８の位置決め突部３８ｂとが係合して、前記図柄表示ユニット３６の前側下方部位が位置決めされる。このように、前記配線基板３８を前後の上下部位で位置決めしているので、該配線基板３８は前記ドラムケース３０内に安定的に支持される。また、前記配線基板３８を前記ドラムケースの内側（上面３１ａ，３５ａ、後面３１ｂおよび上下の傾斜面３２，３３の内側）に倣って形成したので、上下方向にズレることはない。
【００３５】
更に、透視表示体２２を前記前ケース３５に組付ける際には、前記金属枠部材４１に形成した第１規制部４６の弾性変形を伴って、透視表示体２２の上端面部２２ａに形成した各第１係合部２４と該第１規制部４６とが係合して、前記金属枠部材４１の後方移動、すなわち金属枠部材４１における後板部４１ｂのドラムケース３０の後面から離間する方向（図７に示す矢線Ｘ方向）への移動が規制される。このとき、前記透視表示体２２の両側端面部２２ｂおよび前ケース３５に形成した第１および第２の突状部２６ａ，２６ｂの夫々と、前記金属枠部材４１に形成した第２規制部４７とが係合し、該金属枠部材４１の上板部４１ａが前記透視表示体２２の上端面部２２ａおよびドラムケース３０の上面３１ａ，３５ａから離間する方向（図７に示す矢線Ｙ方向）に移動するのは規制される。この状態で、前記金属枠部材４１の各底板部４１ｃに形成した各取着片４５を、前記透視表示体２２のボス２２ｄに後側からネジ止めすることにより、金属枠部材４１の下部と透視表示体２２の下部とが連結固定される。すなわち、前記ドラムケース３０を、前記金属枠部材４１と透視表示体２２とで挟持することで、ドラム式図柄表示装置２０が組付けられるようになっている。
【００３６】
図４または図７に示すように、前記金属枠部材４１における上板部４１ａの上方から前記制御装置Ｓを近接移動させると、該上板部４１ａにおける前記把持部４９の開口部４９ａに、該制御装置Ｓにおける取付ベース５４の前記突出片５４ａが嵌合すると共に、当該上板部４１ａの前記支持片４８と、該取付ベース５４の前記一対の爪部５４ｂ，５４ｂとが係合する。これにより、前記金属枠部材４１の上板部４１ａに形成した前記保持部４０に、前記ドラムケース３０内に収容された図柄表示ユニット３６を駆動制御する前記制御装置Ｓが保持される。このため、前記ドラムケース３０の後側にスペース的な余裕が生ずるので、該ドラムケース３０を大型化して当該ケース内に直径の大きな図柄ドラム３７が配設可能になる。すなわち、ドラム式図柄表示装置２０を大きな図柄ドラム３７で構成して、迫力感のある遊技演出を行なうことができる。なお、前記取付ベース５４の下面後部に形成した前記取付片５５を、前記後ケース３１に形成した前記固定部３４にネジ止め固定することで、該後ケース３１の上傾斜面３２から離間する前記制御装置Ｓが安定して前記保持部４０に保持されるようになっている。
【００３７】
また、前記保持部４０に前記制御装置Ｓを保持した際に、図４に示すように、該制御装置Ｓが前記ドラムケース３０の上傾斜面３２および金属枠部材４１の上傾斜板部４２の上方に位置する。このため、前記上傾斜面３２および上傾斜板部４２に開設した挿通孔３２ａおよび通出孔４２ａからケース外方に突出した前記配線基板３８の第１のコネクタ部３８ｃと、前記制御装置Ｓの第２のコネクタ部５３とが近接して位置する。従って、前記両コネクタ部３８ｃ，５３をハーネス５２で接続した場合に配線が短くなるため、該配線の取り回し等を簡便にできる。また前記制御装置Ｓが、前記挿通孔３２ａ（通出孔４２ａ）の上方において該挿通孔３２ａ（通出孔４２ａ）を覆うように位置することで、当該挿通孔３２ａ（通出孔４２ａ）からドラムケ−ス３０の内部に塵や埃が進入し難くなり、この塵埃等が配線基板３８に付着することによる誤作動や、ケース内の汚れ等を抑制できる。
【００３８】
なお、実施例では、金属枠部材の上面に設けた保持部を介してドラムケースの上面に制御装置を保持するようにしたが、該保持部を該金属枠部材の底面に形成するようにしてもよい。なお、この場合には、前記配線基板の一部をケース外方に突出させる挿通孔を、該ドラムケースの後面における下側の稜縁部から該ドラムケースの底面に向けて傾斜する下傾斜面に開設すると共に、該挿通孔に対応する通出孔を、金属枠部材の後面における下側の稜縁部から該金属枠部材の底面に向けて傾斜する下傾斜板部に開設すれば、配線の取り回し等が容易になる。また、前記制御装置Ｓを保持する保持部を、直接ドラムケースの上下何れかの面に形成することも可能である。回転式図柄表示装置として、ドラム式図柄表示装置を用いたが、これに限られず、ベルト式図柄表示装置等であってもよい。
【００３９】
前記挿通孔の一部を画成する規制突片の形状は実施例のものに限られるものではなく、該挿通孔からケース外方に突出させた配線基板を一方の側から位置規制し得るものであれば何れの形状とすることもできる。また、前記挿通孔に近接する下方位置に規制突部を形成したが、前記配線基板を他方の側から位置規制し得る位置に形成すればよい。更に、前記ドラムケースにおける各挿通孔に対応する下傾斜面の近傍に一対の規制片を突設するようにしたが、前記挿通孔から離間し、前記挿通孔の一部を画成する規制突片および該挿通孔近傍に突設される規制突部から所要間隔だけ離間した位置に形成するようにすれば、前記配線基板を安定的に収容支持することができる。また、遊技機としてはパチンコ機に限られず、スロットマシン機やアレンジボール機等であってもよい。
【００４０】
【発明の効果】
以上に説明したように、本発明に係る回転式図柄表示装置における配線基板の支持構造においては、回転式図柄表示装置の収容ケースにおける後面側の稜縁部に形成した、該収容ケースの上面または底面に向けて傾斜する傾斜面に開口部を開設して、当該収容ケースに図柄表示ユニットを収容した際に、該図柄表示ユニットを構成する配線基板が該開口部からケース外方に突出する。そして、前記開口部からケース外方に突出した前記配線基板は、該開口部の一部を画成する規制突片により一方の側から位置規制されると共に、収容ケースの内側で、当該開口部に近接して突設された規制突部により他方の側から位置規制される。また、前記配線基板は、前記開口部から所要距離だけ離間して突設された一対の規制片により両側から位置規制されるようになっている。このように、前記収容ケースにスリットを設けることなく前記配線基板を位置決めすることができ、更に前記開口部から該配線基板に設けた接続部をケース外方に突出させることができるので、該収容ケースの構造的強度の低下を招くことはなく、割れや歪み等を抑制することができる。また、前記配線基板の後方部位を、前記収容ケース内において上下に離間する位置で位置規制しているので、該配線基板が左右方向にガタツクことなく支持できる。
【００４１】
また、前記各規制突部や規制片の突出端部を円弧状に形成することで、前記配線基板が所定の位置に案内され易くなるので、位置決め作業を容易に行なうことができる。更に、前記収容ケースに関して、前記傾斜面を形成した前記稜縁部と対向する稜縁部にも第２の傾斜面を形成することにより該収容ケースの内部容積を抑え得るので、前記回転式図柄表示装置に近接して遊技機に配設される各種部材の取付け・取外しに際し、各部材同士の干渉を抑えることができ、作業性を向上させ得る。
【図面の簡単な説明】
【図１】本発明の実施例に係るドラム式図柄表示装置および制御装置を一部破断した状態を示す斜視図である。
【図２】実施例に係るパチンコ機を示す正面図である。
【図３】実施例に係るドラム式図柄表示装置を分解した状態で示す斜視図である。
【図４】実施例に係るドラム式図柄表示装置に制御装置を組付けた状態を断面で示す側面図である。
【図５】実施例に係るドラムケースおよび透視表示体を分解状態で示す平面図である。
【図６】実施例に係る図柄表示ユニットの配線基板のドラムケースに対する組付け状態を示す要部拡大図である。
【図７】実施例に係るドラム式図柄表示装置から制御装置を取外した状態を示す要部側面図である。
【図８】従来の技術に係るドラム式図柄表示装置と制御装置とを示す縦断面図である。
【図９】従来の技術に係るドラム式図柄表示装置を分解した状態で示す斜視図である。
【図１０】従来の技術に係るドラム式図柄表示装置を前ケースを取外した状態で示す正面図である。
【符号の説明】
３０　ドラムケース（収容ケース）
３１ａ　上面
３１ｃ　底面
３１ｄ　規制突部
３１ｅ　規制片
３２　上傾斜面（傾斜面）
３２ａ　挿通孔（開口部）
３２ｂ　規制突片
３３　下傾斜面（第２の傾斜面）
３５ａ　上面
３５ｅ　底面
３６　図柄表示ユニット
３７　図柄ドラム（図柄表示体）
３８　配線基板
３８ｃ　第１のコネクタ部（接続部）
３９　ステッピングモータ（回転駆動手段）
Ｓ　制御装置（制御手段）
【図１】
2004024345.tif 000003
【図２】
2004024345.tif 000004
【図３】
2004024345.tif 000005
【図４】
2004024345.tif 000006
【図５】
2004024345.tif 000007
【図６】
2004024345.tif 000008
【図７】
2004024345.tif 000009
【図８】
2004024345.tif 000010
【図９】
2004024345.tif 000011
【図１０】
2004024345.tif 000012